(57)【要約】【課題】フレキシブルプリント基板を変形を抑えた状態で確実に組み込むことができ、かつ取り外しや再組み込みを容易に行えるレンズ鏡筒および交換レンズ並びに撮影装置を提供する。【解決手段】固定筒と、前記固定筒に対して移動するレンズと共に移動する移動筒と、前記移動筒の移動方向を長手方向とし、前記固定筒および前記移動筒に接続されるフレキシブルプリント基板と、前記フレキシブルプリント基板の面で前記長手方向の２箇所に設けられる突起部材と、前記フレキシブルプリント基板を接続するために前記固定筒または前記移動筒の面で前記突起部材に対応して前記長手方向の２箇所において設けられ、夫々が前記突起部材の前記フレキシブルプリント基板の面に直交する厚さ方向の位置を規制する第１規制部、および前記突起部材の前記長手方向の位置を規制する第２規制部を備えるフック部材と、を有する。【選択図】図６
2014191164.tif 000002
【特許請求の範囲】
【請求項１】
固定筒と、
前記固定筒に対して移動するレンズと共に移動する移動筒と、
前記移動筒の移動方向を長手方向とし、前記固定筒および前記移動筒に接続されるフレキシブルプリント基板と、
前記フレキシブルプリント基板の面で前記長手方向の２箇所に設けられる突起部材と、
前記フレキシブルプリント基板を接続するために前記固定筒または前記移動筒の面で前記突起部材に対応して前記長手方向の２箇所において設けられ、夫々が前記突起部材の前記フレキシブルプリント基板の面に直交する厚さ方向の位置を規制する第１規制部、および前記突起部材の前記長手方向の位置を規制する第２規制部を備えるフック部材と、
を有することを特徴とするレンズ鏡筒。
【請求項２】
前記突起部材は、前記フレキシブルプリント基板の撓みを抑える補強板であることを特徴とする請求項１に記載のレンズ鏡筒。
【請求項３】
前記フック部材は、前記フレキシブルプリント基板の前記長手方向に直交する幅方向において２箇所設けられることを特徴とする請求項１または２に記載のレンズ鏡筒。
【請求項４】
前記フック部材で規制される領域における前記突起部材の前記幅方向の長さは、前記フレキシブルプリント基板の前記幅方向の長さより長いことを特徴とする請求項３に記載のレンズ鏡筒。
【請求項５】
前記突起部材は、前記幅方向の長さが前記フレキシブルプリント基板の前記幅方向の長さと等しい領域を備えることを特徴とする請求項４に記載のレンズ鏡筒。
【請求項６】
前記突起部材は、前記幅方向において、
前記フレキシブルプリント基板の前記幅方向の長さと等しい第１領域と、
前記フレキシブルプリント基板の前記幅方向の長さより短い第２領域と、を備え、
前記フック部材は前記幅方向における間隔を、前記第１領域と前記第２領域の前記幅方向における長さの中間の長さとしたことを特徴とする請求項３に記載のレンズ鏡筒。
【請求項７】
前記フック部材は、前記フレキシブルプリント基板の前記長手方向に直交する幅方向において１箇所だけ設けられることを特徴とする請求項１または２に記載のレンズ鏡筒。
【請求項８】
前記突起部材には前記フック部材の前記第２規制部が落とし込まれる穴部が設けられることを特徴とする請求項７に記載のレンズ鏡筒。
【請求項９】
前記固定筒または前記移動筒は、前記長手方向で２箇所の前記フック部材の前記長手方向の間の位置に窪み部を備えることを特徴とする請求項１乃至８のいずれか１項に記載のレンズ鏡筒。
【請求項１０】
前記突起部材は、前記フレキシブルプリント基板と一体化した構造であることを特徴とする請求項１乃至９のいずれか１項に記載のレンズ鏡筒。
【請求項１１】
請求項１乃至１０のいずれか１項に記載のレンズ鏡筒を有する交換レンズ。
【請求項１２】
請求項１１に記載の交換レンズを有する撮影装置。
【発明の詳細な説明】
【技術分野】
【０００１】
本発明は、レンズ鏡筒および交換レンズ並びに撮影装置に関するものである。
【背景技術】
【０００２】
従来のレンズ鏡筒では、光量調節機構や光学防振、焦点調節等をアクチュエータや位置検出センサを電気的に駆動制御するため、その電源供給、ＣＰＵからの制御信号などの通電をフレキシブルプリント基板を通じて行う。そのため、レンズ鏡筒内部には、アクチュエータや位置センサのレイアウトに応じた様々な形、配線がなされたフレキシブルプリント基板が組み込まれている。
【０００３】
特許文献１で開示されているレンズ鏡筒では、基板装着板を用いて支持環にフレキシブルプリント基板を固定かつガイドする構成が開示されている。また、特許文献２で開示されているレンズ鏡筒では、レンズ鏡筒内の部品に凸部を設け、フレキシブルプリント基板を凸部で挟みこむことで固定する構成が開示されている。
【先行技術文献】
【特許文献】
【０００４】
【特許文献１】実開平６−４７１９号公報
【特許文献２】特開２００８−６５１７９号公報
【発明の概要】
【発明が解決しようとする課題】
【０００５】
しかしながら、特許文献１で開示される固定方法では、フレキシブルプリント基板とこれを固定する支持環以外に基板装着板という部品があるため、その分、コストが高くなる恐れがある。また、特許文献２で開示される固定方法では、フレキシブルプリント基板を局所的に変形を維持した状態で組み込むため、以下のような改善すべき項目がある。すなわち、フレキシブルプリント基板を取り外し、再度組み込んだ場合、最初に組み込んだ場合に比べ、フレキシブルプリント基板を固定する力が損なわれるため、所望の目的・機能を果たせなくなる可能性を回避することが望まれる。
【０００６】
本発明の目的は、フレキシブルプリント基板を変形を抑えた状態で確実に組み込むことができ、かつ取り外しや再組み込みを容易に行えるレンズ鏡筒および交換レンズ並びに撮影装置を提供することにある。
【課題を解決するための手段】
【０００７】
上記目的を達成するために、本発明に係るレンズ鏡筒は、固定筒と、前記固定筒に対して移動するレンズと共に移動する移動筒と、前記移動筒の移動方向を長手方向とし、前記固定筒および前記移動筒に接続されるフレキシブルプリント基板と、前記フレキシブルプリント基板の面で前記長手方向の２箇所に設けられる突起部材と、前記フレキシブルプリント基板を接続するために前記固定筒または前記移動筒の面で前記突起部材に対応して前記長手方向の２箇所において設けられ、夫々が前記突起部材の前記フレキシブルプリント基板の面に直交する厚さ方向の位置を規制する第１規制部、および前記突起部材の前記長手方向の位置を規制する第２規制部を備えるフック部材と、を有することを特徴とする。
【発明の効果】
【０００８】
本発明によれば、フレキシブルプリント基板を変形を抑えた状態で確実に組み込むことができ、かつ取り外しや再組み込みを容易に行えるレンズ鏡筒および交換レンズ並びに撮影装置を提供することができる。
【図面の簡単な説明】
【０００９】
【図１】本発明の実施形態に係る交換レンズの断面図（沈胴状態）である。
【図２】本発明の実施形態に係る交換レンズの撮影（ＴＥＬＥ）状態の断面図である。
【図３】本発明の実施形態に係る交換レンズのフォーカス案内機構を含めた断面図である。
【図４】本発明の実施形態に係る交換レンズのフォーカス機構の斜視図である。
【図５】本発明の実施形態に係る交換レンズとカメラ本体のシステムブロック図である。
【図６】本発明の実施形態に係る交換レンズのＦＰＣ配線を含めた断面図である。
【図７】（ａ）は本発明の実施形態に係る交換レンズのＦＰＣ支持機構の斜視図、（ｂ）は交換レンズのＦＰＣ支持機構の斜視図である。
【図８】（ａ）は本発明の実施形態に係る交換レンズのＦＰＣ支持機構の接続前の模式図、（ｂ）は交換レンズのＦＰＣ支持機構の接続後の模式図である。
【図９】（ａ）は本発明の実施形態に係る交換レンズのＦＰＣ支持機構の模式図、（ｂ）は交換レンズのＦＰＣ支持機構の第１変形例の模式図、（ｃ）は交換レンズのＦＰＣ支持機構の第２変形例の模式図、（ｄ）は交換レンズのＦＰＣ支持機構の第３変形例の模式図である。
【発明を実施するための形態】
【００１０】
以下に、本発明の好ましい実施の形態を、添付の図面に基づいて詳細に説明する。
【００１１】
《第１の実施形態》
（撮影装置）
図１で、撮影装置としてのカメラシステムは、交換レンズ２００とカメラ本体５００を備える。カメラ本体５００には、レンズ鏡筒とレンズ１、３、５、７、９、１１を備える交換レンズ２００が搭載される。ここでは、レンズ鏡筒は交換レンズからレンズを取り除いたものとして取り扱う。
【００１２】
本実施形態の交換レンズ２００は、カメラ本体５００にマウント３２でバヨネット固定される。カメラ本体５００に交換レンズ２００がマウント３２で固定されると、各レンズの動作を制御するプリント基板３１は、接点ブロック３３を通してカメラ本体５００と通信可能となる。６００はカメラ本体５００に搭載された撮像素子であり、交換レンズ２００を通過した被写体からの光を受け、その光を電気信号に変換するＣＭＯＳやＣＣＤ等の光-電気変換素子である。
【００１３】
（交換レンズ）
図１は、本発明の実施形態に係る交換レンズ２００の断面図（撮影状態より全長が短い沈胴状態）である。ここで、１は１群レンズ、２は１群レンズ１を保持する１群鏡筒、１７は１群鏡筒を固定する１群筒を示す。３は２群レンズを示し、４は２群レンズ３を保持する２群ユニットを示す。２群ユニット４は、光軸に対して垂直な面上で２群レンズ３を移動することで、いわゆる手ブレを補正する光学防振機能を果たす。５は３群レンズを示し、６は３群レンズ５を保持する移動筒としての３群鏡筒である。この３群レンズ６の被写体側には光学防振機能を果たす２群ユニット４が固定されている。
【００１４】
７は４群レンズを示し、８は４群レンズ７を保持する４群鏡筒であり、３群鏡筒６に固定される。９は固定筒に対して移動するフォーカスレンズを示し、１０はフォーカスレンズ９を一体保持する移動筒としてのフォーカス鏡筒を示し、３群鏡筒６に設けられた案内機構、駆動機構によって光軸方向へ移動し、合焦動作を行う。１１は５群レンズを示し、１２は５群レンズ１１を保持する５群鏡筒を示す。３４は光量調節を行う絞りユニットであり、３群鏡筒６に固定される。絞りユニット３４を固定した後、２群ユニット４も３群鏡筒６に固定される。
【００１５】
１４は保持部材（固定筒）であるところの案内筒を示し、１６は案内筒１４の外周に回転可能に嵌合したカム環を示す。１８はカム環付勢バネであり、図示の断面とは異なる回転位相位置で案内筒１４にカム環１６を付勢する。２３は固定鏡筒を示し、案内筒１４を固定する。３１はレンズの駆動用ＩＣ、マイコン等が配置されたプリント基板を示し、固定鏡筒２３に固定されている。２７は外観リングユニットであり、３２はマウントである。マウント３２は固定鏡筒２３にビス固定される。外観リングユニットは固定鏡筒２３とマウント３２に挟まれ固定される。
【００１６】
３６は裏蓋であり、マウント３２に固定されている。１９はマニュアルフォーカスリングユニットであり、固定鏡筒２３を軸として回転可動に支持されている。マニュアルフォーカスリングユニット１９を回転させると、その回転を不図示のセンサが検出し、回転量に応じてフォーカスレンズ合焦制御を行う。３３は接点ブロックであり、プリント基板３１と不図示の配線（フレキシブルプリント基板など）によって接続されて、マウント３２にビス固定される。
【００１７】
１）ズーム
次に、各レンズのズーム動作について説明する。１群鏡筒２および１群筒１７は、１群筒１７に設置された図示しないコロにてカム環７に係合されており、カム環７の光軸周りの回転に伴い光軸方向に移動させることができる。２８はＮＤフィルタやフードなどの付属品を固定可能なフィルタリングであり、２９はフィルタリングに固定されたネームリングである。フィルタリング２８は１群筒１７にビス固定されて、１群筒と一体となって移動する。
【００１８】
１５は案内筒１４の物体側先端に固定された第１キーリングである。第１キーリング１５に設置された不図示の３ヵ所の突起が、１群筒１７内面に設置された不図示の３ヵ所の直進溝にそれぞれ係合し、１群筒１７の直進移動を支持する。３群鏡筒６は、図示しないコロにてカム環７に係合されている。そのため、固定された２群ユニット４、絞りユニット３４、４群鏡筒８、フォーカス鏡筒１０およびその案内機構・駆動機構、５群鏡筒１２と共にカム環７の光軸周りの回転に伴い光軸方向に移動させることができる。
【００１９】
１３は３群鏡筒６に固定された第２キーリングである。第２キーリング１３に設置された不図示の３ヵ所の突起が、１群筒１７内面に設置された不図示の３ヵ所の直進溝にそれぞれ係合し、３群鏡筒６の直進移動を支持する。３７は付勢ピンであり、第２キーリング１３の前述の突起部に配置され、１群筒１７内面の直進溝と第２キーリング１３の突起との間のメカ的なガタを抑える機能を果たす。３０はマスクであり、２群ユニット４に固定され、不要光をカットする。
【００２０】
３５はマニュアルズームリングであり、固定鏡筒２３に回転自在に支持される。カム環７は、カム環コロ３９を介してマニュアルズームリング３５と連結されており、ユーザーがマニュアルズームリング３５を回転させることでカム環７が回転する。カム環７の外面には、不図示ではあるが１群筒１７に設置された不図示のコロと係合するカム溝が設置されており、また、内面には３群鏡筒６に設置された不図示のコロと係合するカム溝が設置されている。
【００２１】
これらのカム溝は、マニュアルズームリング３５を回転させることで、交換レンズ２００が図１の沈胴状態から交換レンズ２００の全長が伸長した図２の撮影状態となる。図２の撮影状態においては、ＷＩＤＥ〜ＴＥＬＥ間で、各レンズが光学的に所望のレンズ間隔となる軌跡となっている。
【００２２】
マニュアルズームリング３５の回転は、不図示のセンサによって検出され、その信号をプリント基板３１のＩＣで、回転量に応じてズーム位置を判断し、ズーム位置に応じたフォーカス、防振、絞りの制御を行う。マニュアルズームリング３５には、マニュアルズームリング３５を単に回転させるだけで撮影状態から沈胴状態にならないよう、不図示のロック機構が設けられている。
【００２３】
２）フォーカス
次に、フォーカスレンズ９およびフォーカス鏡筒１０の案内機構について説明する。図３は、ロングガイバー４２と光軸を通る面とショートガイドバー４３と光軸を通る面で切った交換レンズ２００の断面図である。ロングガイドバー４２とショートガイドバー４３は、３群鏡筒６と５群鏡筒１２に設けられた穴に挿入され、３群鏡筒６と５群鏡筒１２に挟まれて支持されている。
【００２４】
ロングガイドバー４２に対し、フォーカス鏡筒１０のスリーブ１０ａが係合して偏芯位置を決め、ショートガイドバー４３に対して、Ｕ溝１０ｂが係合して回転位置を決めることで位置決めされ、かつ光軸方向へ進退可能に支持されている。
【００２５】
次にフォーカスレンズ９およびフォーカス鏡筒１０の駆動機構について説明する。図４はフォーカス鏡筒１０の斜視図である。前述の通り支持されたフォーカス鏡筒１０にラック４１が設置されている。また、不図示の取り付け機構にて、ＡＦモータ４０とこれが取り付けられたコの字板金４０ａが、３群鏡筒６にビス締めにより固定されている。
【００２６】
ラック４１には不図示の雄ネジが設置されている。この雄ネジが、ＡＦモータ４０とコの字板金４０ａに取り付けられ、ＡＦモータ内の回転部と一体となって回転するスクリュー４０ｂの不図示の雌ネジと螺合する。そして、ＡＦモータ４０に電圧が印加されると、スクリュー４０ｂが回転し、ラック４１がネジに沿って移動するとともに、フォーカス鏡筒１０がガイドバーに沿って（すなわち光軸に沿って）進退する。
【００２７】
本実施形態においては、ＡＦモータ４０はステッピングモータを採用しており、ステッピングモータへの電圧印加を制御することで、フォーカス鏡筒１０を基準位置に対する所望の位置へ移動可能である。ここで、フォーカス鏡筒１０の位置基準は、フォーカス鏡筒１０に取り付けられた不図示の遮光壁によって、不図示のフォトインタラプタの遮光／透光の切り替わりを電気的に検出し、決定される。
【００２８】
（カメラシステムの電気的構成）
図５は、本実施形態の交換レンズ２００とカメラ本体５００より構成されるカメラシステムの電気的構成を示す。５０１は、マイクロコンピュータにより構成されるカメラＣＰＵであり、カメラ本体５００内の各部の動作を制御する。また、カメラＣＰＵ５０１は、レンズ鏡筒２００の装着時には電気接点１０２，２０２を介して、交換レンズ２００内に設けられたレンズＣＰＵ２０１との通信を行う。カメラＣＰＵ１０１がレンズＣＰＵ２０１に送信する情報（信号）には、フォーカスレンズの駆動量情報、平行振れ情報およびピント振れ情報が含まれる。
【００２９】
また、レンズＣＰＵ２０１からカメラＣＰＵ５０１に送信する情報（信号）には、撮像倍率情報が含まれる。なお、電気接点１０２，２０２には、カメラ本体５００からレンズ鏡筒２００に電源を供給するための接点が含まれている。
【００３０】
５０３は撮影者により操作可能な電源スイッチであり、カメラＣＰＵ５０１を起動したりカメラシステム内の各アクチュエータやセンサ等への電源供給を開始したりするためのスイッチである。５０４は撮影者により操作可能なレリーズスイッチであり、第１ストロークスイッチＳＷ１と第２ストロークスイッチＳＷ２とを有する。
【００３１】
レリーズスイッチ５０４からの信号は、カメラＣＰＵ１０１に入力される。カメラＣＰＵ１０１は、第１ストロークスイッチＳＷ１からのＯＮ信号の入力に応じて、撮影準備状態に入る。撮影準備状態では、測光部５０５による被写体輝度の測定と、焦点検出部５０６によって焦点検出を行わせる。カメラＣＰＵ５０１は、測光結果に基づいて絞りユニット３４の絞り値や撮像素子６００の露光量（シャッタ秒時）等を演算する。
【００３２】
また、カメラＣＰＵ５０１は、焦点検出部５０６による撮影光学系の焦点状態の検出結果である焦点情報（デフォーカス量およびデフォーカス方向）に基づいて、フォーカスレンズ９およびフォーカス鏡筒１０の駆動量（駆動方向を含む）を決定する。この駆動量の情報（フォーカスレンズ駆動量情報）は、被写体に対する合焦状態を得るためのものであり、レンズＣＰＵ２０１に送信される。レンズＣＰＵ２０１は、交換レンズ２００の各構成部の動作を制御する。
【００３３】
さらに、カメラＣＰＵ１０１は、所定の撮影モードになると、２群ユニット４のシフト駆動、つまりは防振動作の制御を開始する。第２ストロークスイッチ（ＳＷ２）からのＯＮ信号が入力されると、カメラＣＰＵ５０１は、レンズＣＰＵ２０１に対して絞り駆動命令を送信し、絞りユニット３４を先に演算した絞り値に設定させる。また、カメラＣＰＵ５０１は、露光部５０７に露光開始命令を送信し、不図示のミラーの退避動作や不図示のシャッタの開放動作を行わせ、撮像素子６００を含む撮像部５０８にて、被写体像の光電変換、すなわち露光動作を行わせる。
【００３４】
撮像部５０８（撮像素子６００）からの撮像信号は、カメラＣＰＵ５０１内の信号処理部にてデジタル変換され、さらに各種補正処理が施されて画像信号として出力される。画像信号（データ）は、画像記録部５０９において、フラッシュメモリ等の半導体メモリ、磁気ディスク、光ディスク等の記録媒体に記録保存される。
【００３５】
２０４はＭＦリング回転検出部であり、マニュアルフォーカスリングユニット１９とその回転検出部とを含む。２０５はＺＯＯＭリング回転検出部であり、マニュアルズームリング３５とその回転検出を行う不図示のセンサとを含む。２０６はＩＳ駆動部であり、防振動作を行う２群ユニット４の駆動アクチュエータとその駆動回路とを含む。
【００３６】
２０９はＡＦ駆動部であり、カメラＣＰＵ５０１から送信されたフォーカスレンズ駆動量情報に応じてＡＦモータ４０を通じてフォーカス鏡筒１０のＡＦ駆動を行う。２０８は電磁絞り駆動部であり、カメラＣＰＵ１０１からの絞り駆動命令を受けたレンズＣＰＵ２０１により制御されて、図１に示した絞りユニット３４を指定された絞り値に相当する開口状態に動作させる。
【００３７】
２１１は交換レンズ２００に搭載され、プリント基板３１に接続された角速度センサである。角速度センサ２１１は、カメラシステムの角度振れである縦（ピッチ方向）振れと横（ヨー方向）振れのそれぞれの角速度を示す角速度信号をレンズＣＰＵ２０１に出力する。レンズＣＰＵ２０１は、角速度センサ２１１からのピッチ方向およびヨー方向の角速度信号を電気的又は機械的に積分して、それぞれの方向での変位量であるピッチ方向振れ量及びヨー方向振れ量（これらをまとめて角度振れ量ともいう）を演算する。
【００３８】
そして、レンズＣＰＵ２０１は、上述した角度振れ量と平行振れ量の合成変位量に基づいてＩＳ駆動部２０６を制御して、２群ユニット４をシフト駆動させ、角度振れ補正および平行振れ補正を行う。また、レンズＣＰＵ２０１は、ピント振れ量に基づいてＡＦ駆動部２０９を制御してフォーカス鏡筒１０を光軸方向に駆動させ、ピント振れ補正を行う。
【００３９】
（フレキシブルプリント基板）
ここで、前述のセンサおよび検出部からレンズＣＰＵ２０１へのズーム、フォーカス、防振動作などの位置検出信号や、レンズＣＰＵ２０１から各アクチュエータへの制御信号の通電は、フレキシブルプリント基板で行う。以下、フレキシブルプリント配線板であるところのフレキシブル基板の配線・支持方法について説明する。なお、フレキシブルプリント基板をＦＰＣと呼ぶこととする。
【００４０】
図６は、ＦＰＣの配線を示した断面図である。５０はフォーカス・防振用ＦＰＣである。前述の通り、３群鏡筒６には、防振機能を備えた２群ユニット４、絞りユニット３４、フォーカス鏡筒１０およびこれを光軸方向へ移動・制御するためのＡＦモータ４０等が固定、支持されている。これらが一体となって、所望の光軸方向位置へと移動する。そのため、フォーカス・防振用ＦＰＣ５０は、一端が３群鏡筒６に押さえ板６０などを用いて固定され、他端は案内筒１４の内面に固定され、その間で、Ｕターン形状を形成する。
【００４１】
これにより、移動部材である３群鏡筒６と固定部材である案内筒１４の間を、３群鏡筒６がどの位置にあっても、ＦＰＣに不要な負荷を与えることなく配線できる。フォーカス・防振用ＦＰＣ５０は、３群鏡筒６に固定され、そこから２群ユニット４の防振機能のアクチュエータ・センサ、ＡＦモータ４０、不図示のＡＦ用のフォトインタラプタへ通電を行うべく配線されている。フォーカス・防振用ＦＰＣ５０は、案内筒１４に支持され、そして固定鏡筒２３側へ配線され、プリント基板３１に実装された不図示のコネクタに接続される。
【００４２】
（突起部材）
フォーカス・防振用ＦＰＣ５０を案内筒１４に支持する方法は、以下図７（ａ）、（ｂ）を用いて説明する。図７（ａ）、（ｂ）は、案内筒１４の内面でのフォーカス・防振用ＦＰＣ支持部の斜視図である。図７（ａ）において、５０ａ、５０ｂは、本実施形態におけるフォーカス・防振用ＦＰＣ５０表面に取り付けられた突起部材としての補強部材で、フレキシブルプリント基板の撓みを抑える補強板が用いられる。
【００４３】
補強板５０ａ、５０ｂは、図示された通り、フォーカス防振用ＦＰＣ５０の配線に沿って、長手方向（レンズの移動方向）において一定間隔離れて配置され、また、フォーカス・防振用ＦＰＣ５０の外形幅より係止部であるところが凸部となっている。すなわち、以下に述べるフック部材で規制される領域における突起部材としての補強板５０ａ、５０ｂの幅方向の長さは、フォーカス・防振用ＦＰＣ５０の幅方向の長さより長くなっている。
【００４４】
（フック部材）
図７（ｂ）において、１４ｂ、１４ｃは、案内筒１４の内面に設置された保持部であるところのフック部材である。フック部材１４ｂ、１４ｃは、フォーカス・防振用ＦＰＣ５０の配線に沿って、、長手方向（レンズの移動方向）において補強板５０ａ、５０ｂに対応して一定間隔離れて配置される。かつ、フォーカス・防振用ＦＰＣ５０の幅方向で両端側に２箇所設けられ、合計４箇所設けられる。このようなフック部材１４ｂ、１４ｃと、これらに対向する案内筒１４の内面との間には、フォーカス・防振用ＦＰＣ５０が撓んで挿入されるための開口部７２（矢印部）が形成されている。
【００４５】
フック部材１４ｂ、１４ｃの夫々には、フォーカス・防振用ＦＰＣ５０について補強板５０ａ、５０ｂのフォーカス・防振用ＦＰＣ５０の面に直交する厚さ方向の位置を規制する第１規制部が備わる。かつ、フック部材１４ｂ、１４ｃの夫々には、フォーカス・防振用ＦＰＣ５０について長手方向の位置を規制する第２規制部が備わっており、第１規制部と第２規制部がＬ字状に構成されている。
【００４６】
これにより、図７（ａ）で、フォーカス・防振用ＦＰＣ５０の幅方向（フォーカス・防振用ＦＰＣ５０の長手方向に直交する方向）より長い補強板５０ａ、５０ｂの凸部が、フック部材１４ｂ、１４ｃの第１規制部で厚み方向に規制される。かつ、補強板５０ａ、５０ｂの凸部が、フック部材１４ｂ、１４ｃの第２規制部で長手方向に規制される。そのため、フォーカス・防振用ＦＰＣ５０を、Ｕターン側やコネクタ側（紙面上下方向）から引っ張ったとしても、フック部材１４ｂ、１４ｃから補強板５０ａ、５０ｂが容易に外れることは無い。
【００４７】
（フォーカス・防振用ＦＰＣの案内筒への接続）
次に、フォーカス・防振用ＦＰＣ５０を案内筒１４へ接続するための組立方法を図８（ａ）、（ｂ）にて説明する。図８（ａ）、図８（ｂ）は、フォーカス・防振用ＦＰＣ５０を幅方向からみた組立模式図である。前述の通り、補強板５０ａ、５０ｂは、夫々が長手方向に一定間隔離れて配置されているため、その間は、柔軟なＦＰＣシートのみとなっている。よって、組み立てる際は、図８（ａ）の通り、補強板５０ａと５０ｂの間を指や専用工具などで撓ませ、フック１４ｂ、１４ｃの開口部７２から第１規制部である厚み方向規制部７０の下側（案内筒１４の内面との間）に滑り込ませる。
【００４８】
当然、指を離す（専用工具を外す）と、補強板５０ａ、５０ｂ間のＦＰＣシートの撓みが復元し、図８（ｂ）や図７（ａ）、図７（ｂ）で示すような支持状態となる。逆にフォーカス・防振用ＦＰＣ５０を取り外すには、例えばピンセットや、専用工具を案内筒１４の内面に設置された凹部１４ａにフォーカス・防振用ＦＰＣ５０の脇から挿入する。そして、補強板５０ａ、５０ｂの間のＦＰＣシートを、図８（ａ）で示すような撓んだ状態に戻して取り外す。また、フォーカス・防振用ＦＰＣ表面に取り付けられた補強板５０ａ、５０ｂを、爪や専用工具で引っ掛けてＦＰＣシートを撓ませて取り外しても良い。
【００４９】
以上、本実施形態によれば、少ない部品点数で、フレキシブルプリント基板を確実に固定し、かつ取り外しや再組み込みを容易に行えるレンズ鏡筒および交換レンズ並びに撮影装置を提供できる。
【００５０】
（その他の実施形態）
上述した実施形態では、ＦＰＣの支持において、ＦＰＣの補強板凸部をフックに引っかけるタイプを述べたが、本発明はこれに限られない。その他の実施形態を図９にて説明する。図９（ａ）〜（ｄ）は、前述の支持方法をフォーカス・防振用ＦＰＣ５０の厚み方向から見た模式図である。図９（ａ）は変形例である図９（ｂ）〜（ｄ）との比較の為に記載しておく。因みに、変形例との差を示し易くするため、補強板は塗りつぶして表記している。
【００５１】
図９（ｂ）は、補強板５０ａと５０ｂを一体化したタイプである。補強板は、ＦＰＣに比べて柔軟性に劣るが剛体ではなく、撓ませることで図９（ａ）のタイプと同様に係止部であるところの凸部をフック１４ｂ、１４ｃに引っ掛けて組み込むことが可能である。但し、ＦＰＣの組み込みおよび支持に足る撓みを得るため、図９（ａ）の補強板５０ａ、５０ｂの凸部の間隔ｍを拡大した間隔Ｍとしている（ｍ＜Ｍ）。
【００５２】
もちろん、組立の不手際等により、一体化した補強板５０ａ、ｂに曲げ跡が付く場合もあり得るが、交換レンズ２００の機能上、性能上問題が無く、また意図せずＦＰＣが外れることが無ければ、それを限定するものではない。
【００５３】
図９（ｃ）は、これまでの補強板の凸部とフック部材による引っ掛けではなく、フォーカス・防振用ＦＰＣ５０に幅方向１箇所（中央部）で長手方向に２か所の係止部であるところの穴部を設けるものである。即ち、フォーカス・防振用ＦＰＣ５０を撓ませて、その穴部にフック部材１４ｂ、１４ｃを落とし込み、フォーカス・防振用ＦＰＣ５０の厚み方向および長手方向を規制しながら組み込むタイプである。もちろん、穴部はフック部材１４ｂ、１４ｃを落とし込むことから、フック部材１４ｂ、１４ｃより大きくなっている。なお、穴およびフック部材の数を更に増やしても構わない。
【００５４】
図９（ｄ）は、フォーカス・防振用ＦＰＣ５０の幅より長い幅の凸部ではなく、フォーカス・防振用ＦＰＣ５０の幅より短い幅の凹部を、フック部材１４ｂ、１４ｃに引っ掛けるタイプに換えたものである。即ち、突起部材としての補強板５０ａ、５０ｂは、幅方向において、フォーカス・防振用ＦＰＣ５０の幅方向の長さと等しい第１領域と、フォーカス・防振用ＦＰＣ５０の幅方向の長さより短い第２領域（凹部）と、を備える。そして、フック部材１４ｂ、１４ｃは、その幅方向における間隔を、上記第１領域と上記第２領域の幅方向における長さの中間の長さとしている。
【００５５】
なお、図９（ａ）〜（ｄ）に共通するが、補強板５０ａ、５０ｂはフォーカス・防振用ＦＰＣ５０の裏面・表面どちらに設置されても良い。因みに、絞りユニット３４に接続している絞りユニット３４用のＦＰＣは、不図示ではあるが３群鏡筒６、案内筒１４に対して同様に固定、支持され、案内筒１４に支持するための補強板の設置面は裏面としている。
【００５６】
（変形例）
以上、本発明の好ましい実施形態について説明したが、本発明はこれらの実施形態に限定されず、その要旨の範囲内で種々の変形及び変更が可能である。また設計機能を考慮した材質であれば、それを限定するものではない。例えば、上述した実施形態では、フレキシブルプリント基板として、フォーカス・防振用ＦＰＣ５０という兼用タイプを示したが、フォーカス用または防振用の専用タイプであっても良い。
【００５７】
また、上述した実施形態では、突起部材としての補強板５０ａ、５０ｂをフレキシブルプリント基板と別体構造としたが、フレキシブルプリント基板と一体構造としても良い。
【符号の説明】
【００５８】
６・・３群鏡筒（移動筒）、１４・・案内筒（固定筒）、１４ｂ、１４ｃ・・フック部材、５０・・フォーカス・防振用ＦＰＣ（フレキシブルプリント基板）、５０ａ、ｂ・・補強板(突起部材)
【図１】
2014191164.tif 000003
【図２】
2014191164.tif 000004
【図３】
2014191164.tif 000005
【図４】
2014191164.tif 000006
【図５】
2014191164.tif 000007
【図６】
2014191164.tif 000008
【図７】
2014191164.tif 000009
【図８】
2014191164.tif 000010
【図９】
2014191164.tif 000011